(57)【要約】      （修正有）【課題】鎖内蔵篩器と漏斗を組み合わせすることにより短時間で抹茶が篩え、同時に茶器、棗等に篩った抹茶の収納と型を容易に整えられ、篩う作業と篩った抹茶の移し替え作業の労力と時間が一度の作業で完結する抹茶篩器の提供。【解決手段】取っ手付き中空半円球の金網で形成されている篩網上部６aに鎖形状の粉体破砕鎖５の一端を接合し、粉体破砕鎖５を篩網３底辺に沿わせ、もう一端の粉体破砕鎖５を対角線の篩網上部６bに接合し、粉体破砕鎖５が篩網３内で自在に移動できる鎖内蔵の篩網３と取っ手付き漏斗１の組み合わせで、両取っ手を持ち、振動させることで、投入された抹茶を粉体破砕鎖５が篩網３内を移動し、篩網３と粉体破砕鎖５の間で抹茶をすり合わせ押下し篩い、均一の粉体となり、漏斗上部７と漏斗出口８が逆円錐の直線で形成されている漏斗１のため、篩った抹茶が滑らかに直接、茶器９、棗等の容器に落下する。【選択図】図１
0003115992.tif 000002
【実用新案登録請求の範囲】
【請求項１】
取っ手付き中空半円球の金網で形成されている篩網上部一辺に鎖形状の粉体破砕鎖の一端を接合し、粉体破砕鎖を篩網底辺に沿わせて、もう一端の粉体破砕鎖を対角線の篩網上部に接合し、粉体破砕鎖が篩網内で篩網底辺に沿って自在に移動できる篩網と漏斗上部と漏斗出口が逆円錐の直線で形成されている取っ手付き漏斗を組み合わせたことを特徴とする抹茶篩器。
【考案の詳細な説明】
【技術分野】
【０００１】
本考案は取っ手付き中空半円球の金網で形成されている篩網内に粉体破砕鎖を収納し、粉体破砕鎖が篩網内で自在に移動できる篩網と漏斗上部と漏斗出口が逆円錐の直線で形成されている取っ手付き漏斗を組み合わせたことを特徴とする抹茶篩器に関するものである。
【背景技術】
【０００２】
従来、抹茶を篩うときはヘラで篩器の金網と抹茶をすり合わせ時間をかけて抹茶を篩い容器に保管後、茶器、棗等に篩った抹茶を移し替え、抹茶の型を整えなければならなかった。
【０００３】
【特許文献１】特開２００２−３６０４３１号公報
【０００４】
【特許文献２】特開平１１−７００４５号公報
【０００５】
【特許文献３】特開平０５−５６７４８号公報
【０００６】
【特許文献４】登録実用新案３００３７６３号公報
【考案の開示】
【考案が解決しようとする課題】
【０００７】
茶会、稽古等の茶道の準備は時間の無い制約の中で、抹茶篩いは一番の手間と時間が掛かる作業であり、篩った抹茶を茶器、棗等に収納する型作りは神経を使う作業である。従って、篩器と漏斗を組み合わせすることにより短時間で抹茶が篩え、同時に茶器、棗等に篩った抹茶の収納と型を容易に整えられ前述の欠点を解決しようとするものである。
【課題を解決するための手段】
【０００８】
本考案は取っ手付き中空半円球の金網で形成されている篩網上部に鎖形状の粉体破砕鎖の一端を接合し、粉体破砕鎖を篩網底辺に沿わせて、もう一端の粉体破砕鎖を対角線の篩網上部に接合し、粉体破砕鎖が篩網内で自在に移動できる取っ手付き篩網と取っ手付き漏斗の組み合わせで、篩網上部より抹茶が投入されると、漏斗取っ手を左手で持ち茶器上で固定し、篩網取っ手を右手で持って振動させることで、投入された抹茶を粉体破砕鎖が篩網内を移動し、篩網と粉体破砕鎖の間で抹茶をすり合わせ押下し篩い、均一の粉体となり、漏斗上部と漏斗出口が逆円錐の直線で形成されている漏斗のため、篩った抹茶が滑らかに直接、茶器、棗等の容器に落下する。篩う作業と篩った抹茶の移し替え作業の労力と時間の問題点を解決している。
【考案の効果】
【０００９】
茶会、稽古等の準備の中で抹茶篩いは一番の手間と時間掛かる作業で、篩った抹茶を茶器、棗等に収納する型作りは神経を使う作業である。漏斗と篩器を一体にすることで、抹茶篩いと茶器への抹茶収納が一度の作業で同時にできることは労力と時間の節約となり難しい作業から開放され精神的安心感を持ち、茶会、稽古等の準備がスムースに進行することに役立つ。
【考案を実施するための最良の形態】
【００１０】
取っ手付き中空半円球の金網で形成されている篩網上部に鎖形状の粉体破砕鎖の一端を接合し、粉体破砕鎖を篩網底辺に沿わせて、もう一端の粉体破砕鎖を対角線の篩網上部に接合し、粉体破砕鎖が篩網内で自在に移動できる鎖内蔵篩網と取っ手付き漏斗の組み合わせで、篩網上部より抹茶が投入されると、漏斗取っ手を左手で持ち茶器上で固定し、篩網取っ手を右手で持って振動するか、或いは両取っ手を同時に握り、振動させることで、投入された抹茶を粉体破砕鎖が篩網内を移動し、篩網と粉体破砕鎖の間で抹茶をすり合わせ押下し篩い、均一の粉体となり、漏斗上部と漏斗出口が逆円錐の直線で形成されている漏斗のため、篩った抹茶が滑らかに直接、茶器、棗等の容器に落下する。
【実施例】
【００１１】
以下、添付図面に従って一実施例を説明する。取っ手付き中空半円球の金網で形成されている篩網上部６aに鎖形状の粉体破砕鎖５の一端を接合し、粉体破砕鎖５を篩網３底辺に沿わせ、もう一端の粉体破砕鎖５を対角線の篩網上部６bに接合し、粉体破砕鎖５が篩網３内で自在に移動できる鎖内蔵の篩網３と取っ手付き漏斗１の組み合わせで、篩網３上部より抹茶が投入されると、漏斗取っ手２を左手で持ち茶器９上で固定し、篩網取っ手４を右手で持って振動するか、或いは両取っ手を同時に握り、振動させることで、投入された抹茶を粉体破砕鎖５が篩網３内を移動し、篩網３と粉体破砕鎖５の間で抹茶をすり合わせ押下し篩い、均一の粉体となり、漏斗上部７と漏斗出口８が逆円錐の直線で形成されている漏斗１のため、篩った抹茶が滑らかに直接、茶器９、棗等の容器に落下する。
【図面の簡単な説明】
【００１２】
【図１】本考案の組み合わせ一体型抹茶篩器の一実施例を示す立体斜視図である。
【図２】本組み合わせ一体型篩器の断面図である
【符号の説明】
【００１３】
１  漏斗
２  漏斗取っ手
３  篩網
４  篩網取っ手
５  粉体破砕鎖
６a 篩網上部
６b 篩網上部
７  漏斗上部
８  漏斗出口
９  茶器
【図１】
0003115992.tif 000003
【図２】
0003115992.tif 000004
【手続補正書】
【提出日】平成17年9月16日(2005.9.16)
【手続補正２】
【補正対象書類名】実用新案登録請求の範囲
【補正対象項目名】全文
【補正方法】変更
【補正の内容】
【実用新案登録請求の範囲】
【請求項１】
球面状の底部を有する取っ手付き金網で形成されている篩網上部に鎖形状の粉体破砕鎖の一端を接合し、粉体破砕鎖を篩網底辺に沿わせて、粉体破砕鎖の他端を前記接合部の反対側の篩網上部に接合し、粉体破砕鎖が篩網内で篩網底辺に沿って自在に移動できる篩網と漏斗上部と漏斗出口が逆円錐の直線で形成されている取っ手付き漏斗を組み合わせたことを特徴とする抹茶篩器。
【請求項２】
球面状の底部を有する金網で形成されている篩網上部に鎖形状の粉体破砕鎖の一端を接合し、粉体破砕鎖を篩網底辺に沿わせて、粉体破砕鎖の他端を前記接合部の反対側の篩網上部に接合したことを特徴とする篩網。
【手続補正３】
【補正対象書類名】明細書
【補正対象項目名】０００１
【補正方法】変更
【補正の内容】
【０００１】
本考案は球面状の底部を有する取っ手付き金網で形成されている篩網内に粉体破砕鎖を収納し、粉体破砕鎖が篩網内で自在に移動できる篩網と漏斗上部と漏斗出口が逆円錐の直線で形成されている取っ手付き漏斗を組み合わせたことを特徴とする抹茶篩器に関するものである。
【手続補正４】
【補正対象書類名】明細書
【補正対象項目名】０００８
【補正方法】変更
【補正の内容】
【０００８】
本考案は球面上の底部を有する取っ手付き金網で形成されている篩網上部に鎖形状の粉体破砕鎖の一端を接合し、粉体破砕鎖を篩網底辺に沿わせて、粉体破砕鎖の他端を前記接合部の反対側の篩網上部に接合し、粉体破砕鎖が篩網内で自在に移動できる取っ手付き篩網と取っ手付き漏斗の組み合わせで、篩網上部より抹茶が投入されると、漏斗取っ手を左手で持ち茶器上で固定し、篩網取っ手を右手で持って振動させることで、投入された抹茶を粉体破砕鎖が篩網内を移動し、篩網と粉体破砕鎖の間で抹茶をすり合わせ押下し篩い、均一の粉体となり、漏斗上部と漏斗出口が逆円錐の直線で形成されている漏斗のため、篩った抹茶が滑らかに直接、茶器、棗等の容器に落下する。篩う作業と篩った抹茶の移し替え作業の労力と時間の問題点を解決している。
【手続補正５】
【補正対象書類名】明細書
【補正対象項目名】００１０
【補正方法】変更
【補正の内容】
【００１０】
球面状の底部を有する取っ手付き金網で形成されている篩網上部に鎖形状の粉体破砕鎖の一端を接合し、粉体破砕鎖を篩網底辺に沿わせて、粉体破砕鎖の他端を前記接合部の反対側の篩網上部に接合し、粉体破砕鎖が篩網内で自在に移動できる鎖内蔵篩網と取っ手付き漏斗の組み合わせで、篩網上部より抹茶が投入されると、漏斗取っ手を左手で持ち茶器上で固定し、篩網取っ手を右手で持って振動するか、或いは両取っ手を同時に握り、振動させることで、投入された抹茶を粉体破砕鎖が篩網内を移動し、篩網と粉体破砕鎖の間で抹茶をすり合わせ押下し篩い、均一の粉体となり、漏斗上部と漏斗出口が逆円錐の直線で形成されている漏斗のため、篩った抹茶が滑らかに直接、茶器、棗等の容器に落下する。
【手続補正６】
【補正対象書類名】明細書
【補正対象項目名】００１１
【補正方法】変更
【補正の内容】
【００１１】
以下、添付図面に従って一実施例を説明する。球面状の底部を有する取っ手付き金網で形成されている篩網上部６aに鎖形状の粉体破砕鎖５の一端を接合し、粉体破砕鎖５を篩網３底辺に沿わせ、粉体破砕鎖５の他端を前記接合部の対角線の篩網上部６bに接合し、粉体破砕鎖５が篩網３内で自在に移動できる鎖内蔵の篩網３と取っ手付き漏斗１の組み合わせで、篩網３上部より抹茶が投入されると、漏斗取っ手２を左手で持ち茶器９上で固定し、篩網取っ手４を右手で持って振動するか、或いは両取っ手を同時に握り、振動させることで、投入された抹茶を粉体破砕鎖５が篩網３内を移動し、篩網３と粉体破砕鎖５の間で抹茶をすり合わせ押下し篩い、均一の粉体となり、漏斗上部７と漏斗出口８が逆円錐の直線で形成されている漏斗１のため、篩った抹茶が滑らかに直接、茶器９、棗等の容器に落下する。